(57)【要約】【課題】  操作を容易に行うことができる画像診断装置及びその操作情報の対比方法を提供する。【解決手段】  操作情報変換部６２は、超音波診断装置１００からの外部操作情報に基づいて、装置情報記憶部６１からその装置の操作情報対応表を読み出して、読み出した操作情報対応表を用いて外部操作情報を内部操作情報に変換する。操作情報出力制御部６３は、表示部３にその装置の模式図を表示し、その模式図の外部操作情報に対応する操作部１００ａの入力デバイスの部分を明示し、内部操作情報に対応する操作部４の入力デバイスを明示して対比させる。【選択図】  図１
2007125093.tif 000002
【特許請求の範囲】
【請求項１】
被検体の撮像条件の入力を行う第１の操作手段と、
前記第１の操作手段からの入力信号に基づく第１の操作情報により前記被検体を撮像する撮像手段と、
前記撮像手段からの信号を処理して画像データを生成する画像データ処理手段と、
前記画像データ処理手段により生成された画像データが表示される表示手段と、
前記被検体の撮像条件の入力が行われる外部画像診断装置の撮像条件における操作情報と一致する前記第１の操作情報を対応させた前記外部画像診断装置の操作情報対応表が保存されている装置情報記憶手段と、
前記外部画像診断装置からの操作情報に基づいて、前記装置情報記憶手段から読み出した操作情報対応表を用いて前記外部画像診断装置からの操作情報を前記第１の操作情報に変換する操作情報変換手段と、
前記操作情報変換手段からの前記第１の操作情報及び前記外部画像診断装置からの操作情報を対比して出力させる操作情報出力制御手段とを
備えたことを特徴とする画像診断装置。
【請求項２】
前記第１の操作手段は、前記被検体の撮像条件を入力するための入力デバイスを有し、
前記操作情報出力制御手段は、前記操作情報変換手段からの前記第１の操作情報に対応する前記入力デバイスを明示するようにしたことを特徴とする請求項１に記載の画像診断装置。
【請求項３】
前記外部画像診断装置の前記被検体の撮像条件を入力する操作情報は前記装置情報記憶手段に模式的に描いた模式図として保存され、
前記操作情報出力制御手段は、前記外部画像診断装置からの操作情報に基づいて、その模式図を前記装置情報記憶手段から読み出して前記表示手段に表示し、読み出した前記模式図の前記操作情報変換手段からの前記外部画像診断装置の操作情報に対応する部分を特徴付けするようにしたことを特徴とする請求項１に記載の画像診断装置。
【請求項４】
前記外部画像診断装置の前記被検体の撮像条件を入力する操作情報は前記装置情報記憶手段に保存され、
前記操作情報出力制御手段は、前記操作情報変換手段からの前記外部画像診断装置の操作情報に対応する情報を前記表示手段に文字で表示するようにしたことを特徴とする請求項１に記載の画像診断装置。
【請求項５】
前記外部画像診断装置の前記被検体の撮像条件を入力する操作情報は前記装置情報記憶手段に保存され、
前記操作情報出力制御手段は、前記操作情報変換手段からの前記外部画像診断装置の操作情報に対応する情報を音声出力するようにしたことを特徴とする請求項１に記載の画像診断装置。
【請求項６】
被検体の撮像条件の入力を行う第１の操作手段からの入力信号に基づく第１の操作情報と、この第１の操作情報の撮像条件に一致する外部画像診断装置の第２の操作情報とを対応させた操作情報対応表を装置情報記憶手段に保存し、
前記外部画像診断装置からの前記第２の操作情報に基づいて、その外部画像診断装置の操作情報対応表を前記装置情報記憶手段から読み出し、読み出した前記操作情報対応表を用いて前記外部画像診断装置からの前記第２の操作情報を操作情報変換手段により前記第１の操作情報に変換し、
前記操作情報変換手段からの前記第１の操作情報及び前記第２の操作情報を操作情報出力制御手段により対比して出力させる
ことを特徴とする画像診断装置の操作情報の対比方法。
【発明の詳細な説明】
【技術分野】
【０００１】
本発明は、Ｘ線ＣＴ装置、磁気共鳴画像診断装置、Ｘ線診断装置、超音波診断装置などの画像診断装置及びその操作情報の対比方法に関する。
【背景技術】
【０００２】
Ｘ線ＣＴ装置、磁気共鳴画像診断装置、Ｘ線診断装置、超音波診断装置などの画像診断装置を使用する医療現場では、日進月歩で様々な医療技術が進歩し、新しい機能を有する画像診断装置に入れ替える度に、その機能を有効に活用するための操作方法を習得する必要がある。新しい機能に関しては、その装置を据付ける作業者などにより操作方法の説明が行われる。
【０００３】
また、画像診断装置の操作は非常に複雑であるにもかかわらず、従来の装置と同じ機能であっても新しい装置では操作方法が異なることが多い。この場合、従来装置の操作と新装置の操作とを対応させた対応表が作成され、新装置の操作方法の習得に利用されている。
【０００４】
更に、新装置がヘルプ機能を有する場合、操作に関する情報をヘルプ情報として表示し、操作者の操作を習得するための支援が行われている（例えば、特許文献１参照。）。
【特許文献１】特開平８―１８７２４４号公報
【発明の開示】
【発明が解決しようとする課題】
【０００５】
しかしながら、従来の方法では、新装置の据付け直後においては、対応表の紛失などの人為的なミスが発生すると、従来装置との関連付けができなくなってしまう問題がある。また、新装置のヘルプ機能を利用しようとしても、操作に不慣れなことやその装置の適切なキーとなる用語が分からず、従来装置の機能に対応する操作の情報を検索することが困難な問題がある。
【０００６】
本発明は、上記問題点を解決するためになされたもので、操作を容易に行うことができる画像診断装置及びその操作情報の対比方法を提供することを目的とする。
【課題を解決するための手段】
【０００７】
上記問題を解決するために、請求項１に係る本発明の画像診断装置は、被検体の撮像条件の入力を行う第１の操作手段と、前記第１の操作手段からの入力信号に基づく第１の操作情報により前記被検体の撮像する撮像手段と、前記撮像手段からの信号を処理して画像データを生成する画像データ処理手段と、前記画像データ処理手段により生成された画像データが表示される表示手段と、前記被検体の撮像条件の入力が行われる外部画像診断装置の撮像条件における操作情報と一致する前記第１の操作情報を対応させた前記外部画像診断装置の操作情報対応表が保存されている装置情報記憶手段と、前記外部画像診断装置からの操作情報に基づいて、前記装置情報記憶手段から読み出した操作情報対応表を用いて前記外部画像診断装置からの操作情報を前記第１の操作情報に変換する操作情報変換手段と、前記操作情報変換手段からの前記第１の操作情報及び前記外部画像診断装置からの操作情報を対比して出力させる操作情報出力制御手段とを備えたことを特徴とする。
【０００８】
また、請求項６に係る本発明の画像診断装置の操作情報の対比方法は、被検体の撮像条件の入力を行う第１の操作手段からの入力信号に基づく第１の操作情報と、この第１の操作情報の撮像条件に一致する外部画像診断装置の第２の操作情報とを対応させた操作情報対応表を装置情報記憶手段に保存し、前記外部画像診断装置からの前記第２の操作情報に基づいて、その外部画像診断装置の操作情報対応表を前記装置情報記憶手段から読み出し、読み出した前記操作情報対応表を用いて前記外部画像診断装置からの前記第２の操作情報を操作情報変換手段により前記第１の操作情報に変換し、前記操作情報変換手段からの前記第１の操作情報及び前記第２の操作情報を操作情報出力制御手段により対比して出力させることを特徴とする。
【発明の効果】
【０００９】
本発明によれば、画像診断装置から得られた操作情報に基づいて、その装置の操作の情報を明示すると共に、その操作情報に対応する内部の操作情報に変換して明示して対比させることができるので、入力操作を容易に行うことが可能な画像診断装置及びその操作情報の対比方法を提供できる。
【発明を実施するための最良の形態】
【００１０】
本発明は、画像データを生成するための撮像手段を有する画像診断装置として、例えばＸ線ＣＴ装置、磁気共鳴画像診断装置、Ｘ線診断装置、超音波診断装置などに適用することができるが、ここでは超音波診断装置に適用した場合について説明する。
【実施例】
【００１１】
以下に、本発明による超音波診断装置の実施例を、図１乃至図６を参照して説明する。
【００１２】
図１は、本発明による超音波診断装置の実施例の構成を示したブロック図である。この超音波診断装置１０は、被検体Ｐの撮像を行う撮像部１と、撮像部１からの信号を処理して画像データを生成する画像データ処理部２と、画像データ処理部２において生成された画像データ等を表示する表示部３とを備えている。
【００１３】
また、超音波診断装置１０は、被検体Ｐの撮像条件などを入力する操作部４と、記憶媒体５ａに保存された超音波診断装置１００などの外部の操作の情報を読み取る読み取り部５と、読み取り部５から外部の操作情報を読み出して処理する操作情報処理部６と、上述したこれらのユニットを統括して制御するシステム制御部９とを備えている。
【００１４】
撮像部１は、被検体Ｐに対して超音波の送受波を行なう超音波プローブ１１と、超音波プローブ１１から送信超音波を発生させるための超音波駆動信号を生成する送信部１２と、超音波プローブ１１に内蔵された圧電振動子から得られる複数チャンネル（Ｎチャンネル）の超音波受信信号に対して整相加算を行なう受信部１３とを備えている。
【００１５】
超音波プローブ１１は、被検体Ｐの体表面にその先端面を接触させ超音波の送受波を行なうものであり、例えば一次元に配列された複数個（Ｎ個）の圧電振動子を有している。この圧電振動子は電気音響変換素子であり、送波時には電気パルス（超音波駆動信号）を超音波パルス（送信超音波）に変換し、また受波時には被検体Ｐからの超音波反射波（受信超音波）を電気信号（超音波受信信号）に変換する機能を有している。
【００１６】
送信部１２は、被検体Ｐに放射する超音波パルスの繰り返し周期（Ｔｒ）を決定するレートパルスを発生させ、送信において所定の深さに超音波を集束するための集束用遅延時間と所定の走査方向に超音波を送波するための偏向用遅延時間とを前記レートパルスに与えた後、超音波プローブ１１のＮ個の圧電振動子を駆動し、被検体Ｐに対して送信超音波を放射するための超音波駆動パルスを生成して超音波プローブ１１に出力する。
【００１７】
受信部１３は、超音波プローブ１１から出力された微小な超音波受信信号を増幅して十分なＳ／Ｎを確保し、この超音波受信信号に対して所定の深さからの受信超音波を集束して細い受信ビーム幅を得るための集束用遅延時間と二次元の走査面に超音波の受信指向性を設定するための偏向用遅延時間とを与えた後、圧電振動子からのＮチャンネルの超音波受信信号を整相加算して１つに纏めて画像データ処理部２に出力する。
【００１８】
画像データ処理部２は、撮像部１の受信部１３から出力された整相加算された信号からＢモード画像データなどを生成するＢモード信号処理部２１と、上記信号からドプラ画像データを生成するドプラ信号処理部２２と、Ｂモード信号処理部２１で生成されたＢモード画像データ、ドプラ信号処理部２２で生成されたカラードプラ画像データなどを処理して二次元の画像データを生成する画像データ生成部２３とを備えている。
【００１９】
Ｂモード信号処理部２１は、受信部１３から出力された整相加算された信号に対して包絡線検波を行った後、対数変換する。そして、対数変換した信号をデジタル信号に変換してＢモード画像データやＭモード画像データの生成を行い、画像データ生成部２３に出力する。
【００２０】
ドプラ信号処理部２２は、受信部１３から出力された整相加算された信号に対してドプラ偏移周波数を検出しデジタル信号に変換した後、血流情報のみを抽出して、その抽出したドプラ信号に対して自己相関処理を行う。そして、この自己相関処理結果に基づいて血流の平均流速値、分散値などを算出してドプラ画像データの生成を行い、画像データ生成部２３に出力する。
【００２１】
画像データ生成部２３は、Ｂモード信号処理部２１から出力されるＢモード画像データやＭモード画像データ、ドプラ信号処理部２２から出力されるドプラ画像データなどの画像データに対して画像表示のための走査変換を行って、二次元の画像データを生成して表示部３に出力する。
【００２２】
表示部３は、変換回路、モニタなどを備え、画像データ処理部２の画像データ生成部２３から出力された画像データを内部の変換回路のＤ／Ａ変換とテレビフォーマット変換により映像信号に変換して表示する。
【００２３】
操作部４は、操作パネル上に各種スイッチ、キーボード、トラックボール、マウス、タッチスクリーン、ファンクションキー等の入力デバイスを備え、被検体ＰのＩＤ、氏名等の被検体情報の入力、画像データ生成モード（Ｂモード画像データ、Ｍモード画像データ、ドプラ画像データなど）、ゲイン、周波数、フォーカス、スイートスピードなどの画像条件の入力、検査開始及び検査終了の入力など撮像条件の入力が上記入力デバイスを用いて行なわれる。
【００２４】
そして、操作部４からの入力信号は、システム制御部９により操作ログＩＤなどの操作情報（内部操作情報）に変換される。
【００２５】
読み取り部５は、光磁気ディスク、コンパクトディスクなどの記憶媒体５ａに保存された超音波診断装置１００など撮像条件の入力操作が超音波診断装置１０とは異なる機種の超音波診断装置（外部装置）から得られた操作情報（外部操作情報）や、その外部装置の機種ＩＤなどを読み取るリーダ５１と、このリーダ５１によって読み取られた外部操作情報、機種ＩＤなどが保存される操作情報記憶部５２とを備えている。
【００２６】
操作情報処理部６は、外部装置の情報が保存されている装置情報記憶部６１と、読み取り部５の操作情報記憶部５２に保存された外部操作情報を内部操作情報に変換する操作情報変換部６２と、操作情報変換部６２における変換前後の外部操作情報及び内部操作情報の対比による出力を制御する操作情報出力制御部６３とを備えている。
【００２７】
装置情報記憶部６１には、超音波診断装置１００の操作部１００ａなど撮像条件を入力する入力デバイスが操作部４とは異なる外部装置の操作部が模式的に描かれた模式図、及びその操作部からの入力に基づく外部操作情報とこの外部操作情報の撮像条件に一致する内部操作情報とを対応させた操作情報対応表に、その外部装置の機種ＩＤが付加された装置情報が保存されている。
【００２８】
操作情報変換部６２は、システム制御部９からの指示により、操作情報記憶部５２に保存されている外部操作情報を読み出す。次いで、装置情報記憶部６１から前記外部操作情報に付加された機種ＩＤを有する操作情報対応表を読み出して、その操作情報対応表を用いて、操作情報記憶部５２から読み出した外部操作情報をこの外部操作情報に対応する内部操作情報に変換する。そして、変換前後の外部操作情報及び内部操作情報を操作情報出力制御部６３に出力する。
【００２９】
操作情報出力制御部６３は、操作情報変換部６２からの外部操作情報に付加された機種ＩＤが付加された模式図を装置情報記憶部６１から読み出して表示部３に表示する。そして、表示部３に表示された模式図の外部操作情報に対応した操作部の入力デバイス部分を明示する。また、表示部３への外部操作情報の出力に連動して、操作情報変換部６２からの内部操作情報に対応する操作部４の入力デバイスを明示する。
【００３０】
システム制御部９は、図示しないＣＰＵと記憶回路を備え、操作部４から供給される各種入力デバイスからの入力信号を操作ログＩＤなどの内部操作情報に変換して前記記憶回路に保存する。そして、前記ＣＰＵは、これらの内部操作情報に基づいて撮像部１、画像データ処理部２、表示部３、操作部４、読み取り部５、操作情報処理部６等の各ユニットの制御やシステム全体の制御を行なう。
【００３１】
なお、システム制御部９は、操作部４から供給される入力信号がファンクションキーからの場合、その入力信号に関連付けて予め前記記憶回路に例えば時系列的に設定して保存された複数の内部操作情報に基づいて、その時系列の順に各ユニットを動作させて制御する。
【００３２】
以下、図１乃至図６を参照して、実施例に係る超音波診断装置１０の動作を説明する。図２は、撮像条件の入力操作を習得するための操作に連動する超音波診断装置１０の動作を示したフローチャートである。
【００３３】
超音波診断装置１０へ入れ替え予定の例えば超音波診断装置１００の操作者が、操作部１００ａから撮像条件を入力操作することにより、超音波診断装置１００の内部に操作ログのＩＤなどの外部操作情報が保存される。
【００３４】
超音波診断装置１０を据付ける作業者は、超音波診断装置１００を超音波診断装置１０に入れ替える時に、超音波診断装置１００から得られる外部操作情報に撮像条件名及び超音波診断装置１００の機種ＩＤを付加して記憶媒体５ａに保存する。
【００３５】
そして、操作部４からの外部操作情報保存操作により、読み取り部５のリーダ５１は、記憶媒体５ａから超音波診断装置１００の機種ＩＤ及び撮像条件名が付加された外部操作情報を読み取って操作情報記憶部５２に保存する。
【００３６】
超音波診断装置１０を使用することになる超音波診断装置１００の操作者は、以下に説明する操作と、その操作に連動する超音波診断装置１０の動作により撮像条件の入力操作を習得する。
【００３７】
まず、操作部４の操作情報対比スイッチＯＮの操作により、超音波診断装置１０は操作情報対比の動作を開始する（ステップＳ１）。
【００３８】
システム制御部９は、表示部３、読み取り部５、及び操作情報処理部６に操作情報対比の動作を指示する。
【００３９】
次に、操作部４からの外部操作情報リスト表示操作により、システム制御部９は、読み取り部５の操作情報記憶部５２に保存されている外部操作情報の撮像条件名及び機種ＩＤで表される外部操作情報リストを表示部３に表示する（ステップＳ２）。
【００４０】
表示部３に表示された外部操作情報リストの中から、例えば超音波診断装置１００のＩＤが記された撮像条件名「Ｍモード、スピード」を操作部４から選択操作することにより、操作情報処理部６の操作情報変換部６２は、操作情報記憶部５２から超音波診断装置１００の機種ＩＤ及び「Ｍモード、スピード」が付加された外部操作情報を読み出す（ステップＳ３）。
【００４１】
図３（ａ）は、図２のステップＳ３において、操作情報記憶部５２から読み出された「Ｍモード、スピード」の外部操作情報の一例を示した図である。この外部操作情報７は、操作時刻が古い順に、超音波診断装置１００の撮像部及び画像データ処理部を動作させてＢモード画像データを生成させる操作部１００ａの検査開始の入力信号に基づく検査開始操作情報７１と、Ｍモード画像データを生成させるためのＭモード画像データ生成モードの入力信号に基づくＭモード操作情報７２と、Ｍモード画像データのスイートスピードを調整するための入力信号に基づくスピード操作情報７３とから構成される。
【００４２】
次に、操作情報変換部６２は、装置情報記憶部６１から超音波診断装置１００の機種ＩＤが付加された操作情報対応表を読み出して、その操作情報対応表を用いて操作情報記憶部５２からの外部操作情報７を内部操作情報に変換して、その内部操作情報及び外部操作情報７を操作情報出力制御部６３に出力する（図２のステップＳ４）。
【００４３】
なお、超音波診断装置１００から得られた外部操作情報が操作情報対比表に含まれていない場合、その外部操作情報に関する「超音波診断装置１００の外部操作情報には超音波診断装置１０で操作できない操作情報が含まれています」などのメッセージがシステム制御部９を介して表示部３に表示される。
【００４４】
図３（ｂ）は、図２のステップＳ４において、操作情報変換部６２で外部操作情報７から変換された内部操作情報を示した図である。この内部操作情報７ａは、操作時刻が古い順に、検査開始操作情報７１から変換された検査開始操作情報７１ａと、Ｍモード操作情報７２から変換されたＭモード操作情報７２ａと、スピード操作情報７３から変換されたスピード操作情報７３ａとから構成される。
【００４５】
次に、操作情報出力制御部６３は、操作情報変換部６２からの外部操作情報７に付加された機種ＩＤを有する超音波診断装置１００の操作部１００ａの模式図を装置情報記憶部６１から読み出して表示部３に表示する（図２のステップＳ５）。
【００４６】
そして、表示部３に表示された模式図の外部操作情報７の操作時刻が最も古い検査開始操作情報７１に対応する入力デバイスの部分を明示すると共に、内部操作情報７ａの検査開始操作情報７１ａに対応する操作部４の入力デバイスを明示して対比させる（図２のステップＳ６）。
【００４７】
図４は、図２のステップＳ６において表示部３に表示された模式図及び操作部４の一例を示した図である。この模式図３１では、描画された操作部１００ａの入力デバイスの検査開始スイッチ３２の部分が色分けして明示されている。また、操作部４では、検査開始スイッチ４２が点灯して明示されている。即ち、特徴付けられている。
【００４８】
次に、操作情報出力制御部６３は、所定時間後に表示部３に表示された模式図のＭモード操作情報７２に対応する入力デバイスの部分を明示すると共に、Ｍモード操作情報７２ａに対応する操作部４のＭモードスイッチ３３を明示して対比させる（図２のステップＳ７）。
【００４９】
図５は、図２のステップＳ７において表示部３に表示された模式図及び操作部４の入力デバイスの一例を示した図である。この模式図３１ａでは、描画された操作部１００ａの入力デバイスにおける検査開始スイッチ３２の部分に加えてＭモードスイッチ３３の部分が色分けして明示されている。また、操作部４では、検査開始スイッチ４２の点灯に加えてＭモードスイッチ４３が点滅して明示されている。
【００５０】
更に、操作情報出力制御部６３は、所定時間後に表示部３に表示された模式図のスピード操作情報７３に対応する入力デバイスの部分を明示すると共に、スピード操作情報７３ａに対応する操作部４のタッチスクリーン４４に入力デバイスを表示して明示して対比させる（図２のステップＳ８）。
【００５１】
なお、ステップＳ７及びＳ８の所定の間隔で連続して実行される模式図及び操作部４の対比動作を、操作部４から各ステップ毎に実行させるようにしてもよい。
【００５２】
図６は、図２のステップＳ８において表示部３に表示された模式図及び操作部４のタッチスクリーン４４が明示される一例を示した図である。この模式図３１ｂでは、描画された操作部１００ａの入力デバイスにおける検査開始スイッチ３２及びＭモードスイッチ３３の部分の色分けに加えて、タッチスクリーン３４の部分に描かれたスイートスピードを調整するためのタッチスクリーン画面が明示されている。また、操作部４では、検査開始スイッチ４２の点灯及びＭモードスイッチ４３の点滅に加えて、タッチスクリーン４４にスイートスピードを調整するスピードスイッチ４４ａを有するタッチスクリーン画面が表示されている。
【００５３】
次に、別の撮像条件の入力操作を習得する場合、ステップＳ２における操作部４の外部操作情報リスト表示操作により、表示部３に外部操作情報リストを表示させた後、ステップＳ３における選択操作により、操作情報対比の動作が実行される。
【００５４】
そして、撮像条件の入力操作の習得した時点で、操作部４の操作情報対比スイッチＯＦＦの操作を行う。
【００５５】
これにより、システム制御部９は、表示部３、読み取り部５、及び操作情報処理部６に停止を指示し、超音波診断装置１０は操作情報対比の動作を終了する（ステップＳ９）。
【００５６】
なお、超音波診断装置１０による超音波撮像中に、上述したステップＳ１乃至Ｓ９における操作情報対比の動作を割り込ませて、操作部４の入力デバイスを外部装置の操作部の入力デバイスと対比させて参照することができるようになっている。
【００５７】
以上述べた本発明の実施例によれば、入力操作が異なる超音波診断装置１００などの外部装置から得られた外部操作情報に基づいて、その外部装置の操作情報対応表を用いてその外部操作情報を内部操作情報に変換し、表示部３に表示させたその外部装置の模式図の外部操作情報に対応する操作部の入力デバイスの部分を明示すると共に、内部操作情報に対応する操作部４の入力デバイスを明示して対比させることができる。
【００５８】
これにより、超音波診断装置１０の撮像条件入力操作を容易に習得することができるので、習得時間を短縮することができる。また、操作に不慣れで超音波撮像中にその入力操作を忘れた場合でも、超音波撮像中に操作部４の入力デバイスを外部装置の操作部の入力デバイスと対比させて参照することができるので容易に入力操作を行うことができる。
【００５９】
また、外部操作情報が、外部装置の操作部の所定のファンクションキーからの入力に基づく複数の操作情報で構成される場合、操作部４の複数の入力デバイスの情報を任意のファンクションキーに容易に設定することができる。
【００６０】
なお、本発明は上記実施例に限定されるものではなく、例えば外部操作情報に対応する外部装置の操作部の入力デバイスの情報を表示部３に文字で表示させるようにしてもよい。また、音声出力部を設け、外部操作情報に対応する外部装置の操作部の入力デバイスの情報を音声出力部から音声出力させるようにしてもよい。
【図面の簡単な説明】
【００６１】
【図１】本発明の実施例に係る超音波診断装置の構成を示すブロック図。
【図２】本発明の実施例に係る超音波診断装置の動作を示すフローチャート。
【図３】本発明の実施例に係る外部操作情報及びこの外部操作情報に対応する内部操作情報を示す図。
【図４】本発明の実施例に係る表示部に表示される模式図及びこの模式図に対比する操作部の一例を示す図。
【図５】本発明の実施例に係る表示部に表示される模式図及びこの模式図に対比する操作部の一例を示す図。
【図６】本発明の実施例に係る表示部に表示される模式図及びこの模式図に対比する操作部の一例を示す図。
【符号の説明】
【００６２】
Ｐ  被検体
１  撮像部
２  画像データ処理部
３  表示部
４、１００ａ  操作部
５  読み取り部
５ａ  記憶媒体
６  操作情報処理部
９  システム制御部
１０  超音波診断装置
１１  超音波プローブ
１２  送信部
１３  受信部
２１  Ｂモード信号処理部
２２  ドプラ信号処理部
２３  画像データ生成部
５１  リーダ
５２  操作情報記憶部
６１  装置情報記憶部
６２  操作情報変換部
６３  操作情報出力制御部
１００  超音波診断装置
【図１】
2007125093.tif 000003
【図２】
2007125093.tif 000004
【図３】
2007125093.tif 000005
【図４】
2007125093.tif 000006
【図５】
2007125093.tif 000007
【図６】
2007125093.tif 000008